(57)【要約】【課題】スポーツにおける軌跡をより適切に取得すること。【解決手段】リスト端末１は、計測情報取得部５１と、方向判定部５７と、記録制御部５８とを備える。計測情報取得部５１は、リスト端末１の位置情報を取得する。方向判定部５７は、リスト端末１を保持したユーザがスポーツにおける特定の移動状態であるか否かを判定する。記録制御部５８は、方向判定部５７が特定の移動状態であると判定した場合に、特定の移動状態と対応する位置情報を、スポーツにおける特定の移動状態の軌跡として所定の記録手段に記録させる。【選択図】図２
2018158039.tif 000002
【特許請求の範囲】
【請求項１】
スポーツに使用する携帯端末であって、
前記携帯端末の位置情報を取得する位置情報取得手段と、
スポーツにおける特定の移動状態であるか否かを判定する判定手段と、
前記判定手段が前記特定の移動状態であると判定した場合に、前記特定の移動状態と対応する位置情報を、前記スポーツにおける特定の移動状態の軌跡として所定の記録手段に記録させる記録制御手段と、
を備えることを特徴とする携帯端末。
【請求項２】
前記判定手段は、前記携帯端末の移動方向と、予め設定された基準とする移動方向との関係に基づいて、前記携帯端末を保持したユーザが前記スポーツにおける特定の移動状態であるか否かを判定することを特徴とする請求項１に記載の携帯端末。
【請求項３】
前記携帯端末は、水上スポーツに使用されることを特徴とする請求項１または２に記載の携帯端末。
【請求項４】
表示部と、
前記表示部の方向に対して、波の進行方向と、岸または沖の方向とを設定する設定手段をさらに備えることを特徴とする請求項１から３のいずれか１項に記載の携帯端末。
【請求項５】
前記判定手段は、前記設定手段によって設定された前記波の進行方向と、前記携帯端末の移動方向とに基づいて、前記携帯端末を保持したユーザが、ライディング状態であるか、または、波待ちあるいはパドリングの状態であるかを判定することを特徴とする請求項４に記載の携帯端末。
【請求項６】
前記判定手段は、前記設定手段によって設定された前記岸または沖の方向に基づいて、前記携帯端末の移動方向が、沖へ向かったのか、岸へ向かったのか、あるいは、岸と平行であるかを判定することを特徴とする請求項４または５に記載の携帯端末。
【請求項７】
前記携帯端末の移動速度を検出する速度検出手段をさらに備え、
前記判定手段は、前記速度検出手段の検出結果に基づいて、前記スポーツにおける特定の移動状態であるか否かを判定することを特徴とする請求項１から６のいずれか１項に記載の携帯端末。
【請求項８】
スポーツに使用する携帯端末の位置情報を記録する移動解析方法であって、
前記携帯端末の位置情報を取得する位置情報取得ステップと、
前記携帯端末を保持したユーザがスポーツにおける特定の移動状態であるか否かを判定する判定ステップと、
前記判定ステップで前記特定の移動状態であると判定された場合に、前記特定の移動状態と対応する位置情報を、前記スポーツにおける特定の移動状態の軌跡として所定の記録手段に記録させる記録制御ステップと、
を含むことを特徴とする移動解析方法。
【請求項９】
コンピュータに、
携帯端末の位置情報を取得する位置情報取得機能と、
スポーツにおける特定の移動状態であるか否かを判定する判定機能と、
前記判定機能が前記特定の移動状態であると判定した場合に、前記特定の移動状態と対応する位置情報を、前記スポーツにおける特定の移動状態の軌跡として所定の記録手段に記録させる記録制御機能と、
を実現させることを特徴とするプログラム。
【発明の詳細な説明】
【技術分野】
【０００１】
本発明は、携帯端末、移動解析方法及びプログラムに関する。
【背景技術】
【０００２】
従来、サーフィン、スノーボードあるいはサイクリング等のスポーツにおいて、センサを内蔵した装置を身体に装着し、スポーツにおける各種データを計測する技術が知られている。
例えば、特許文献１には、ＧＰＳ（Ｇｌｏｂａｌ  Ｐｏｓｉｔｉｏｎｉｎｇ  Ｓｙｓｔｅｍ）を備えたスポーツ支援用携帯機器が開示されている。特許文献１に記載された技術では、スキー、スノーボードあるいはマウンテンバイク等のスポーツを行う際に、ＧＰＳ回路部によって得られたデータに基づいて、標高変化推移、平均斜度、最大斜度等の各記録データを取得し、記録データを表示部に表示したり、メモリに格納したりしている。
【先行技術文献】
【特許文献】
【０００３】
【特許文献１】特開２００３−２３６０２８号公報
【発明の概要】
【発明が解決しようとする課題】
【０００４】
特許文献１に記載された技術では、スポーツにおける各種速度、経過時間、移動軌跡等を表示させることができる。
しかしながら、スポーツにおける各種情報を計測した場合、その計測結果が本来計測対象となる状態を計測したものとはならない場合がある。例えば、サーフィンにおける速度や移動軌跡を計測した場合に、計測対象であるライディング状態以外の情報が計測される場合がある。このような場合、スポーツにおける各種情報の計測結果が、スポーツにおける軌跡を適切に表すものとはならない。
即ち、従来の技術においては、スポーツにおける軌跡を適切に取得することが困難であった。
【０００５】
本発明は、このような状況に鑑みてなされたものであり、スポーツにおける軌跡をより適切に取得することを目的とする。
【課題を解決するための手段】
【０００６】
上記目的を達成するため、本発明の一態様の携帯端末は、
スポーツに使用する携帯端末であって、
前記携帯端末の位置情報を取得する位置情報取得手段と、
スポーツにおける特定の移動状態であるか否かを判定する判定手段と、
前記判定手段が前記特定の移動状態であると判定した場合に、前記特定の移動状態と対応する位置情報を、前記スポーツにおける特定の移動状態の軌跡として所定の記録手段に記録させる記録制御手段と、
を備える。
【発明の効果】
【０００７】
本発明によれば、スポーツにおける軌跡をより適切に取得することができる。
【図面の簡単な説明】
【０００８】
【図１】本発明の携帯端末の一実施形態としてのリスト端末の構成を示す図であり、図１（Ａ）は外観構成図、図１（Ｂ）は、ハードウェア構成を示すブロック図である。
【図２】図１のリスト端末の機能的構成のうち、移動軌跡記録処理（移動解析処理）を実行するための機能的構成を示す機能ブロック図である。
【図３】図１のリスト端末におけるユーザインターフェース画面が遷移する様子を例示する模式図である。
【図４】ユーザがテイクオフしたことが検出された後、ワイプアウトしたことが検出されるまでの期間中における所定時間間隔での計測点の遷移を例示する模式図である。
【図５】１ライディングのライディング軌跡がマップ上に表されたマップ画面の一例を示す模式図である。
【図６】図２の機能的構成を有する図１のリスト端末が実行する移動軌跡記録処理の流れを説明するフローチャートである。
【図７】スノーボードまたはスキーの移動軌跡を表すマップ画面の一例を示す模式図である。
【発明を実施するための形態】
【０００９】
以下、本発明の実施形態について、図面を用いて説明する。
【００１０】
［ハードウェア構成］
図１は、本発明の携帯端末の一実施形態としてのリスト端末１の構成を示す図であり、図１（Ａ）は外観構成図、図１（Ｂ）は、ハードウェア構成を示すブロック図である。
リスト端末１は、腕時計型に構成され、スマートフォンに類する機能を備えた装置である。
図１に示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒａｎｄｏｍ  Ａｃｃｅｓｓ  Ｍｅｍｏｒｙ）１７と、ＧＰＳ（Ｇｌｏｂａｌ  Ｐｏｓｉｔｉｏｎｉｎｇ  Ｓｙｓｔｅｍ）アンテナ１８と、ＧＰＳモジュール１９と、無線通信用アンテナ２０と、無線通信モジュール２１と、ドライブ２２とを備えている。なお、リスト端末１には、撮像部等の他のハードウェアを適宜備えることが可能である。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、移動軌跡記録処理（後述）のためのプログラム等、ＲＯＭ１６に記録されているプログラムに従って各種の処理を実行する。
センサユニット１２は、加速度センサ、ジャイロセンサ、気圧センサ、地磁気センサあるいは高度センサ等の各種センサを備えている。
加速度センサは、リスト端末１における３軸方向の加速度を検出し、検出した加速度を示す情報を制御部１１に出力する。
ジャイロセンサは、リスト端末１における３軸方向の角速度を検出し、検出した角速度を示す情報を制御部１１に出力する。
気圧センサは、リスト端末１がある環境下の気圧を検出し、検出した気圧を示す情報を制御部１１に出力する。リスト端末１では、気圧センサから出力される情報に基づいて、リスト端末１の高度を検出する。
【００１２】
入力部１３は、各種ボタンやＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。
時計回路１５は、システムクロックあるいは発振器により生成される信号から時刻信号を生成し、現在時刻を出力する。
【００１３】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１４】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。
ドライブ２２には、磁気ディスク、光ディスク、光磁気ディスク、あるいは半導体メモリ等よりなる、リムーバブルメディア３１が適宜装着される。リムーバブルメディア３１は、位置及び高度のデータ等の各種データを記憶することができる。
【００１５】
図２は、図１のリスト端末１の機能的構成のうち、移動軌跡記録処理（移動解析処理）を実行するための機能的構成を示す機能ブロック図である。
移動軌跡記録処理とは、移動状況の計測を自動的に行う自動計測モードに設定された場合に、リスト端末１を装着したユーザの移動に関して取得された各種計測情報に基づいて、ユーザの移動軌跡のうち、予め設定された条件を満たすものをライディング軌跡として記録する一連の処理をいう。なお、本実施形態では、リスト端末１を装着したユーザがサーフィンを行った際の各種計測情報を取得して、ユーザの運動を解析する場合を例に挙げて説明する。また、以下の説明において、サーファーが波に乗ってサーフボードに立ち上がることを「テイクオフ」、その後、波のブレイク等によりサーフボードから降りることを「ワイプアウト」、テイクオフからワイプアウトまでの波に乗っている状態を「ライディング」と称する。
【００１６】
移動軌跡記録処理が実行される場合には、図２に示すように、制御部１１において、計測情報取得部５１と、スタンバイ検出部５２と、テイクオフ検出部５３と、ワイプアウト検出部５４と、計測点カウント部５５と、フィルタ処理部５６と、方向判定部５７と、記録制御部５８と、入出力制御部５９とが機能する。
また、ＲＯＭ１６の一領域には、履歴データ記憶部７１が設定される。
履歴データ記憶部７１には、サーフィンの１ライド毎にライディング履歴のデータが記憶される。本実施形態においては、ライディング履歴のデータとして、ライディングの軌跡（位置及び高さ）、トップスピード、１ライディングの距離、１ライディングの時間、テイクオフ時刻等が記憶される。なお、１ライディングを「１本」と数えるものとする。
【００１７】
計測情報取得部５１は、ＧＰＳモジュール１９の測位結果及びセンサユニット１２に備えられた各種センサの検出結果（以下、これらをまとめて、適宜「計測情報」と称する。）を所定の時間間隔（例えば０．１秒間隔）で取得する。なお、本実施形態において、計測情報には、センサの出力データに所定の演算（微分等）を適宜加えたデータも含まれるものとする。
【００１８】
スタンバイ検出部５２は、計測情報取得部５１によって取得された計測情報に基づいて、リスト端末１を装着したユーザがサーフィンのスタンバイ状態であるか否かの判定を行う。サーフィンのスタンバイ状態であるか否かは、例えば、ユーザの位置が海岸線より海側であるか否かによって判定することができる。また、スタンバイ検出部５２は、サーフィンのスタンバイ状態を検出した後、ユーザがサーフィンを終了したか否かの判定を行う。ユーザがサーフィンを終了したか否かは、ユーザの位置が海岸線より陸側であるか否かによって判定することができる。
なお、ここではスタンバイ状態を自動的に検出することとしたが、ユーザがボタンを操作することにより、スタンバイ検出部５２が手動によるスタンバイ状態の設定を受け付けることとしてもよい。
【００１９】
テイクオフ検出部５３は、計測情報取得部５１によって取得された計測情報に基づいて、リスト端末１を装着したユーザがテイクオフしたか否かの判定を行う。本実施形態において、リスト端末１を装着したユーザがテイクオフしたか否かは移動速度が第１の閾値Ｔｈ１（例えば１５［ｋｍ／ｓ］）以上となったか否かによって判定するものとする。
【００２０】
ワイプアウト検出部５４は、計測情報取得部５１によって取得された計測情報に基づいて、リスト端末１を装着したユーザがワイプアウトしたか否かの判定を行う。本実施形態において、リスト端末１を装着したユーザがワイプアウトしたか否かは、移動速度が第１の閾値Ｔｈ１より低い第２の閾値Ｔｈ２（例えば２［ｋｍ／ｓ］）未満となったか否かによって判定するものとする。本実施形態においては、移動速度が第２の閾値Ｔｈ２未満となった計測点が連続して３点現れた場合に、ユーザがワイプアウトしたと判定される。
なお、ワイプアウト検出部５４は、テイクオフ検出部５３がユーザのテイクオフを検出した後、一定期間（例えば１０［ｓｅｃ］）以上に亘って、ＧＰＳモジュール１９の測位結果が得られない場合にも、ユーザがワイプアウトしたものと判定する。
上述の第１の閾値Ｔｈ１及び第２の閾値Ｔｈ２は、ユーザがリスト端末１に対する操作を行うことにより、任意に設定することができる。
【００２１】
計測点カウント部５５は、計測情報取得部５１によって取得された計測情報に基づいて、ユーザがテイクオフしていると判定された計測点の数をカウントする。即ち、計測点カウント部５５は、ユーザがテイクオフしたことが検出された後、ユーザがワイプアウトしたことが検出されるまでの期間中における所定の時間間隔の計測点のうち、移動速度が第１の閾値Ｔｈ１以上である計測点の数をカウントする。
そして、計測点カウント部５５は、カウントされた値が所定の閾値（例えば５点）以上である場合に、ユーザのテイクオフからワイプアウトまでの計測点のデータを処理対象データとする。
【００２２】
フィルタ処理部５６は、計測点カウント部５５において処理対象データとされた計測点のデータに対して、不適切な計測点であると推定されるデータを除外するためのフィルタ処理を施す。本実施形態において、フィルタ処理部５６は、時系列に隣接する計測点の位置を順次比較した場合に、計測点のデータがＧＰＳの測位誤差を含んでいること等に起因して、岸から沖に向かう位置変化となっている計測点を間引く処理を行う。
【００２３】
方向判定部５７は、計測点の移動軌跡の方向が、入力された波の進行方向（後述）に対して、所定角度範囲内であるか否かを判定する。方向判定部５７は、計測点の移動軌跡の方向が、入力された波の進行方向に対して、所定角度範囲内である場合に、ライディング軌跡として記録対象とする。一方、方向判定部５７は、計測点の移動軌跡の方向が、入力された波の進行方向に対して、所定角度範囲内でない場合、ライディング軌跡として記録対象としない。例えば、計測点の移動軌跡の方向が、波の進行方向に対して直角から２０度以内である（波の進行方向から７０度以上ずれている）場合、波に乗っている移動とは考え難い（測位誤差、または、波待ちやパドリング等の可能性が高い）ため、ライディング軌跡として記録対象とされない。
【００２４】
記録制御部５８は、スタンバイ検出部５２によってサーフィンのスタンバイ状態が検出された場合に、計測情報取得部５１によって取得された計測情報のＲＡＭ１７への一時記憶を開始する。例えば、記録制御部５８は、サーフィンのスタンバイ状態が検出された場合に、ＲＡＭ１７に形成されたＦＩＦＯ（Ｆｉｒｓｔ  Ｉｎ  Ｆｉｒｓｔ  Ｏｕｔ）型の記憶領域に、所定時間（例えば６０秒）分の計測情報を逐次記憶する。
また、記録制御部５８は、テイクオフが検出された後、ワイプアウトが検出された場合に、ＲＡＭ１７に一時記憶しているテイクオフからワイプアウトまでの計測情報のうち、方向判定部５７によって記録対象とされた計測情報をＲＯＭ１６またはドライブ２２に装着されたリムーバブルメディア３１に記録（保存）する。方向判定部５７によって記録対象とされた計測情報は、計測点カウント部５５、フィルタ処理部５６、及び、方向判定部５７においてライディング履歴としての条件を充足すると判定された計測情報である。なお、このとき、テイクオフの所定時間前（例えば３秒前）からワイプアウトの所定時間後（例えば３秒後）までの計測情報を記録制御部５８が記録することとしてもよい。
【００２５】
入出力制御部５９は、スタンバイ検出部５２がスタンバイ状態を検出することに応じて計測情報の一時記憶が開始されると、計測中のデータとして所定の計測情報をＬＣＤ１４に表示する。
また、入出力制御部５９は、ユーザにより移動軌跡のマップ画面を表示させる指示が行われた場合に、記録制御部５８によってＲＯＭ１６またはリムーバブルメディア３１に記録された計測情報に基づいて、１ライディング毎の移動軌跡をマップ上に表したマップ画面をＬＣＤ１４に表示する。
また、入出力制御部５９は、リスト端末に対するユーザの操作に応じて、サーフィンに関する記録を行う動作モードであるサーフィンモードに関する各種表示を行う。
即ち、入出力制御部５９は、サーフィンモードに設定されたことを表す表示、波の進行方向が画面の上方向になるように地図の向きを設定することを求めるメッセージの表示、地図を回転させる操作を受け付けるための回転操作受付ボタンの表示、地図回転操作の完了を入力するための表示等を行う。
また、入出力制御部５９は、ＬＣＤ１４に表示されたこれらの内容に対して、タッチ操作等が行われた場合に、その操作内容を検出して各種設定や情報の入力等を行う。
【００２６】
図３は、図１のリスト端末１におけるユーザインターフェース画面が遷移する様子を例示する模式図である。
リスト端末に対するユーザの操作により、自動計測モードのうち、サーフィンに関する記録を行うサーフィンモードが選択されると、ユーザインターフェースの画面に、サーフィンモードに設定されたことを表す表示が行われる。図３の左端の表示例では、サーフィンモードになったことを表す表示として、「Ｓｕｒｆｉｎｇ」という文字表示が行われている。
サーフィンモードに設定されると、次いで、波の進行方向が画面の上方向になるように地図を設定することを求めるメッセージがユーザインターフェース画面に表示される。図３の中央の表示例では「波の進行方向が画面の上になるように地図を回転させてください」という文字表示が行われている。
【００２７】
上述のメッセージの文字表示が所定時間行われた後に、地図を回転させる操作を受け付けるための回転操作受付画面が表示される。図３の右端の表示例では、右回転の矢印ボタン、左回転の矢印ボタン、地図回転操作の完了を受け付ける「ＯＫ」ボタンが表示されている。右回転の矢印ボタン及び左回転の矢印ボタンは、これらに対する１回のタップ操作によって、地図を所定の角度回転させることができる。適切な回数繰り返しタップ操作することによって、ユーザは目的とする角度、地図を回転させることができる。
「ＯＫ」ボタンに対する操作を行うと、入出力制御部５９は、波の進行方向、岸または沖の方向（即ち、地図の向き）をＬＣＤ１４の表示内容から取得する。以降、サーフィンモードでの計測が開始される。
これにより、波の進行方向（例えば、沖から岸に垂直に向かう方向等）がリスト端末１に設定される。
【００２８】
図４は、ユーザがテイクオフしたことが検出された後、ワイプアウトしたことが検出されるまでの期間中における所定時間間隔での計測点の遷移を例示する模式図である。ここで、各計測点Ａ，Ｂ，Ｃ，・・・は、ユーザであるサーファーの身体に保持されたリスト端末１の時系列の位置を示している。
上述のように各計測点Ａ，Ｂ，Ｃ，・・・は、テイクオフ検出部５３でユーザがテイクオフした状態であることが検出された後、ワイプアウト検出部５４でユーザがワイプアウトした状態であることが検出されるまでの期間中における所定の時間間隔の計測点である。各計測点Ａ，Ｂ，Ｃ，・・・としては、移動速度が上述の第１の閾値Ｔｈ１以上であったものが示されている。これら計測点Ａ，Ｂ，Ｃ，・・・が、計測点カウント部５５によって所定の閾値（例えば５点）以上カウントされた場合に、ユーザのテイクオフからワイプアウトまでの計測点のデータが処理対象データとされる。
【００２９】
図４において「ケース１」と表記された例では、計測点Ａ→Ｂ→Ｃ→Ｄ→Ｅ→Ｆ→Ｇの順に、次第に沖から岸に向かって移動している。
一方、「ケース２」と表記された例では、計測点Ａ→Ｂのように沖から岸に向かった後、計測点Ｂ→Ｃでは、岸から沖に向かって移動している。このような動きはＧＰＳの測位誤差等に起因するものと考えられるため、不適切な計測点であるものとして、フィルタ処理部５６が計測点Ｃを間引き、計測点Ａ→Ｂ→Ｄを実際の移動軌跡と推定する。計測点Ｄ→Ｅについても岸から沖に向かって移動しているため、フィルタ処理部５６が計測点Ｅを間引き、結果として、計測点Ａ→Ｂ→Ｄ→Ｆ→Ｇが実際の移動軌跡と推定される。
また、「ケース３」と表記された例では、フィルタ処理部５６が計測点Ｆ及びＧを間引き、計測点Ａ→Ｂ→Ｄ→Ｅが実際の移動軌跡と推定される。
他方、「ケース４」と表記された例では、計測点Ａ→Ｂ→Ｃ→Ｄ→Ｅ→Ｆ→Ｇの順に、次第に岸から沖に向かって移動している。この場合、全ての計測点がフィルタ処理部５６によって除外され、これらの計測点による移動軌跡は記録対象とされない。
また、「ケース５」と表記された例では、計測点Ａ→Ｂ→Ｃ→Ｄ→Ｅ→Ｆ→Ｇの順に、次第に沖から岸に向かって移動しているが、方向判定部５７によって、これらの計測点による移動軌跡は記録対象とされない。
即ち、「ケース５」における計測点Ａ→Ｂ→Ｃ→Ｄ→Ｅ→Ｆ→Ｇの移動軌跡は、その方向が、図３の表示例に従って設定された波の進行方向に対してなす角度（劣角）が所定角度範囲内になく（例えば、７０度〜９０度）、岸に沿う方向に近いことから、波に乗っている移動とは考え難いため、ライディング軌跡として記憶対象とされない。
【００３０】
図５は、１ライディングのライディング軌跡がマップ上に表されたマップ画面の一例を示す模式図である。
図５に示すように、マップ画面においては、現在位置付近の海岸の地図を背景として、１ライディングの開始位置（テイクオフ位置）から終了位置（ワイプアウト位置）までの移動軌跡をライディング軌跡として表すラインが表示されている。マップ画面に表示されるラインでは、そのライディングにおける最大速度の位置がマークによって識別して表示されると共に、各位置での速度の状態がラインの色の相違によって識別して表示される。例えば、最大速度に対して２０％未満の速度の位置は青色、最大速度に対して２０％以上４０未満の速度の位置は水色、最大速度に対して４０％以上６０％未満の速度の位置は緑色、最大速度に対して６０％以上８０％未満の速度の位置は黄色、最大速度に対して８０％以上の速度の位置は赤色で表すことができる。なお、図５においては、各位置での速度の状態を線種の相違によって模式的に示している。
【００３１】
ここで、本実施形態において、現在位置付近の海岸の地図を表示する場合、海側がＬＣＤ１４の上側（図１（Ａ）における上側）、陸側がＬＣＤ１４の下側（図１（Ａ）における下側）となるように表示される。
これにより、サーフィンのような海と陸との境界領域で行われるスポーツの履歴を直感的にわかり易く表示することができる。
【００３２】
［動作］
次に、リスト端末１の動作を説明する。
図６は、図２の機能的構成を有する図１のリスト端末１が実行する移動軌跡記録処理の流れを説明するフローチャートである。
移動軌跡記録処理は、ユーザによってサーフィンモードに設定する操作が行われることにより開始される。
【００３３】
ステップＳ１において、計測情報取得部５１は、ＧＰＳモジュール１９の測位結果及びセンサユニット１２に備えられた各種センサの検出結果（計測情報）を取得する。
ステップＳ２において、スタンバイ検出部５２は、計測情報取得部５１によって取得された計測情報に基づいて、リスト端末１を装着したユーザがサーフィンのスタンバイ状態であるか否かの判定を行う。
リスト端末１を装着したユーザがサーフィンのスタンバイ状態でない場合、ステップＳ２においてＮＯと判定されて、処理はステップＳ１に移行する。
一方、リスト端末１を装着したユーザがサーフィンのスタンバイ状態である場合、ステップＳ２においてＹＥＳと判定されて、処理はステップＳ３に移行する。
ステップＳ３において、記録制御部５８は、計測情報取得部５１によって取得された計測情報のＲＡＭ１７への一時記憶を開始する。
ステップＳ４において、入出力制御部５９は、計測中のデータとして所定の計測情報をＬＣＤ１４に表示（計測中画面を表示）する。
【００３４】
ステップＳ５において、テイクオフ検出部５３は、計測情報取得部５１によって取得された計測情報に基づいて、リスト端末１を装着したユーザがテイクオフしたか否かの判定を行う。
リスト端末１を装着したユーザがテイクオフしていない場合、ステップＳ５においてＮＯと判定されて、処理はステップＳ６に移行する。
一方、リスト端末１を装着したユーザがテイクオフした場合、ステップＳ５においてＹＥＳと判定されて、処理はステップＳ７に移行する。
【００３５】
ステップＳ６において、ワイプアウト検出部５４は、テイクオフの検出におけるタイムアウトとなっているか否かの判定を行う。
テイクオフの検出におけるタイムアウトとなっていない場合、ステップＳ６においてＮＯと判定されて、処理はステップＳ５に移行する。
一方、テイクオフの検出におけるタイムアウトとなっている場合、ステップＳ６においてＹＥＳと判定されて、処理はステップＳ１４に移行する。
ステップＳ７において、ワイプアウト検出部５４は、計測情報取得部５１によって取得された計測情報に基づいて、リスト端末１を装着したユーザがワイプアウトしたか否かの判定を行う。
リスト端末１を装着したユーザがワイプアウトしていない場合、ステップＳ７においてＮＯと判定されて、ステップＳ７の処理が繰り返される。
一方、リスト端末１を装着したユーザがワイプアウトしている場合、ステップＳ７においてＹＥＳと判定されて、処理はステップＳ８に移行する。
【００３６】
ステップＳ８において、計測点カウント部５５は、計測情報取得部５１によって取得された計測情報に基づいて、ユーザがテイクオフしていると判定された計測点の数をカウントする。このとき、計測点カウント部５５は、カウントされた値が所定の閾値（例えば５点）以上である場合に、ユーザのテイクオフからワイプアウトまでの計測点のデータを処理対象データとする。
【００３７】
ステップＳ９において、計測点カウント部５５において処理対象データとされた計測点のデータに対して、不適切な計測点であると推定されるデータを除外するためのフィルタ処理を施す。
【００３８】
ステップＳ１０において、方向判定部５７は、計測点の移動軌跡の方向が、入力された波の進行方向に対して、所定角度範囲内であるか否かを判定する。このとき、方向判定部５７は、計測点の移動軌跡の方向が、入力された波の進行方向に対して、所定角度範囲内である場合に、ライディング軌跡として記録対象とする。一方、方向判定部５７は、計測点の移動軌跡の方向が、入力された波の進行方向に対して、所定角度範囲内でない場合、ライディング軌跡として記録対象としない。
【００３９】
ステップＳ１１において、記録制御部５８は、ＲＡＭ１７に一時記憶している計測情報のうち、テイクオフからワイプアウトまでの計測情報であって、ＲＡＭ１７に一時記憶しているテイクオフからワイプアウトまでの計測情報のうち、方向判定部５７によって記録対象とされた計測情報をＲＯＭ１６またはドライブ２２に装着されたリムーバブルメディア３１に記録（保存）する。なお、記録制御部５８は、テイクオフの所定時間前からワイプアウトの所定時間後までの計測情報を記録することとしてもよい。
ステップＳ１２において、入出力制御部５９は、ユーザにより移動軌跡のマップ画面を表示させる指示が行われたか否かの判定を行う。
ユーザにより移動軌跡のマップ画面を表示させる指示が行われていない場合、ステップＳ１２においてＮＯと判定されて、処理はステップＳ１４に移行する。
一方、ユーザにより移動軌跡のマップ画面を表示させる指示が行われた場合、ステップＳ１１においてＹＥＳと判定されて、処理はステップＳ１３に移行する。
【００４０】
ステップＳ１３において、入出力制御部５９は、記録制御部５８によってＲＯＭ１６またはリムーバブルメディア３１に記録された計測情報に基づいて、１ライディング毎の移動軌跡マップ上に表したマップ画面をＬＣＤ１４に表示する。
ステップＳ１４において、テイクオフ検出部５３は、ユーザがサーフィンを終了したか否かの判定を行う。
ユーザがサーフィンを終了していない場合、ステップＳ１４においてＮＯと判定されて、処理はステップＳ１に移行する。
一方、ユーザがサーフィンを終了した場合、ステップＳ１４においてＹＥＳと判定されて、移動軌跡記録処理は終了となる。
【００４１】
このような処理により、リスト端末１においては、テイクオフからワイプアウトまでのユーザの移動軌跡のうち、予め設定された条件を満たすと判定されたものがライディング軌跡として記録される。
具体的には、テイクオフしていると判定された計測点の数が、所定の閾値以上である場合に、計測点のデータが処理対象とされる。
また、時系列に隣接する計測点が、岸から沖に向かう位置変化となっている場合には、計測点のデータが除外される。
さらに、移動軌跡の方向が、入力された波の進行方向に対して、所定角度範囲内である場合に、ライディング軌跡として記録される。
そのため、一定時間以上のライディングが行われているユーザの移動軌跡のうち、波の進行方向との関係において、ライディングの軌跡として適切な方向であると推定される移動軌跡が記録の対象とされる。
したがって、スポーツにおける軌跡をより適切に取得することが可能となる。
【００４２】
ここで、移動速度だけに依拠してスポーツにおける特定の移動状態（テイクオフしてライディングしている状態等）であるか否かの判定を行うと、サーフィン等において、パドリングしている状態もライディングの状態であると誤判定される場合がある。これは、アウトサイド（沖）に向かってパドリングを行う際に、引き波によって急激な速度が出てしまい、ライディングの状態に匹敵する速度が計測されてしまうためである。また、左右（岸に沿った方向）に潮の流れがある日は、流れている方向にパドリングすると、上述の場合と同様に急激な速度が出てしまうため、ライディングの状態であると誤判定される場合もある。
これに対し、リスト端末１では、移動軌跡の方向が、入力された波の進行方向に対して、所定角度範囲内である場合に、特定の移動状態の軌跡であると判定される。
そのため、移動速度だけに依拠した手法におけるような誤判定のおそれが低減される。
【００４３】
［変形例１］
上述の実施形態において、自動計測モードに設定された場合に、スタンバイ検出部５２が、計測情報取得部５１によって取得された計測情報に基づいて、リスト端末１を装着したユーザが、サーフィン、ボディボード、スノーボードまたはスキーのいずれのスタンバイ状態であるか否かを判定することができる。
この場合、ＧＰＳモジュール１９の測位結果及びセンサユニット１２に備えられた各種センサの検出結果（計測情報）にそれぞれのスタンバイ状態を識別する条件を設定しておき、現在の状態が、これらの条件に合致するか否かを判定することで、いずれのスポーツのスタンバイ状態であるかを判定することができる。
【００４４】
例えば、サーフィン及びボディボードと、スノーボード及びスキーとは、計測情報に基づいて、現在位置が海である場合にはサーフィンまたはボディボード、現在位置が山である場合にはスノーボードまたはスキーとして区別することができる。
また、例えば、サーフィンとボディボードとは、計測情報に基づいて、ユーザが立ち上がる動作を行ったか否かによって区別することができる。
さらに、スノーボードとスキーとは、計測情報に基づいて、進行方向に対するユーザの身体の向きによって区別することができる。
なお、ユーザが手動でスポーツを選択することにより、スタンバイ検出部５２がいずれのスポーツのスタンバイ状態であるかの設定を受け付けることとしてもよい。
【００４５】
また、本変形例において、記録制御部５８は、スタンバイ状態が検出された後、テイクオフからワイプアウトまでのライディング等、１本分の運動の計測情報をＲＯＭ１６またはドライブ２２に装着されたリムーバブルメディア３１に記録（保存）する場合、サーフィン及びボディボードの場合には１本の開始から第１の時間前の計測情報から記録し、スノーボード及びスキーの場合には１本の開始から第２の時間前の計測情報から記録する。
そして、第１の時間は、第２の時間よりも長く設定されている。
【００４６】
これにより、１本の運動の開始前において、より長時間の状態にユーザが興味を抱くと考えられるサーフィン及びボディボードの計測情報を、スノーボード及びスキーよりも長く記録することができる。
また、同様に、１本の運動の終了後についても、サーフィン及びボディボードの計測情報を、スノーボード及びスキーよりも長く記録することとしてもよい。
【００４７】
［変形例２］
上述の実施形態において、記録制御部５８は、移動軌跡記録処理のステップＳ１３でユーザがサーフィンを終了したと判定された後、再びサーフィンのスタンバイ状態が検出された場合には計測情報の一時記憶を開始し、その後、テイクオフが検出された際に、計測情報をＲＯＭ１６またはドライブ２２に装着されたリムーバブルメディア３１に記録することとしてもよい。
【００４８】
［変形例３］
上述の実施形態において、マップ画面に現在位置付近の海岸の地図を表示する場合、スタンバイ状態が検出されるまでは、海側がＬＣＤ１４の上側、陸側がＬＣＤ１４の下側となるように表示し、スタンバイ状態が検出された後、ワイプアウトが検出されるまでは、海側がＬＣＤ１４の下側、陸側がＬＣＤ１４の上側となるように表示することとしてもよい。
これにより、ユーザの運動に合わせた地図の表示方向とすることができる。
【００４９】
［変形例４］
上述の実施形態において、マップ画面の表示形態は、スポーツの種類に応じて、変更することが可能である。
図７は、スノーボードまたはスキーの履歴を表すマップ画面の一例を示す模式図である。
図７に示すように、スノーボードまたはスキーの移動軌跡を表示するために現在位置付近の地図を表示する場合、山頂側がＬＣＤ１４の上側（図１（Ａ）における上側）、麓側がＬＣＤ１４の下側（図１（Ａ）における下側）となるように表示することができる。
これにより、スノーボードまたはスキーのコースを把握し易い状態でマップ画面を表示することができる。
また、本変形例の場合、上述の実施形態における波の進行方向に代えて、ゲレンデの滑降方向が設定される。この場合、ＬＣＤ１４に表示されたゲレンデの地図に、ユーザが指で滑降方向を示す矢印（曲線の矢印等）を描くこと等により、滑降方向を設定することができる。そして、移動軌跡記録処理が実行されることにより、設定された滑降方向から所定角度範囲内にないリフト区間の移動軌跡を、記録対象から除外することができる。
したがって、スポーツにおける軌跡をより適切に取得することが可能となる。
【００５０】
なお、本変形例においても、変形例３と同様に、スタンバイ状態が検出されるまでは、山頂側がＬＣＤ１４の上側、麓側がＬＣＤ１４の下側となるように表示し、スタンバイ状態が検出された後、滑走の終了が検出されるまでは、山頂側がＬＣＤ１４の下側、麓側がＬＣＤ１４の上側となるように表示することとしてもよい。
これにより、スノーボードまたはスキーの場合にも、ユーザの運動に合わせた地図の表示方向とすることができる。
【００５１】
［変形例５］
上述の実施形態において、方向判定部５７は、計測点の移動軌跡の方向が、入力された波の進行方向に対して、所定角度範囲内であるか否かを判定するものとして説明した。
これに対し、計測点の移動軌跡の方向が、波の進行方向の設定に伴って設定された地図における岸または沖に対して、どのような関係を有するかを判定することとしてもよい。例えば、計測点の移動軌跡の方向が、沖へ向かっている、岸へ向かっている、岸と平行（横移動）であるといった関係を判定することとしてもよい。
この場合、ユーザの移動方向がライディングとして適合するか否かを直感的にわかり易い基準で判定することができる。
【００５２】
以上のように構成されるリスト端末１は、計測情報取得部５１と、方向判定部５７と、記録制御部５８とを備える。
計測情報取得部５１は、リスト端末１の位置情報を取得する。
方向判定部５７は、リスト端末１を保持したユーザがスポーツにおける特定の移動状態であるか否かを判定する。
記録制御部５８は、方向判定部５７が特定の移動状態であると判定した場合に、特定の移動状態と対応する位置情報を、スポーツにおける特定の移動状態の軌跡として所定の記録手段に記録させる。
これにより、ユーザの移動軌跡のうち、スポーツにおける特定の移動状態に該当すると判定されたものが軌跡として記録される。
したがって、スポーツにおける軌跡をより適切に取得することができる。
【００５３】
方向判定部５７は、リスト端末１の移動方向と、予め設定された基準とする移動方向との関係に基づいて、リスト端末１を保持したユーザがスポーツにおける特定の移動状態であるか否かを判定する。
これにより、スポーツにおける特定の移動状態の軌跡として適切な方向であると推定される移動軌跡を記録の対象とすることができる。
【００５４】
リスト端末１は、水上スポーツ、特に海上スポーツに使用される。
このため、リスト端末１は、サーフィンあるいはボディボード等において、より適切なライディング軌跡を記録するために用いることができる。
【００５５】
リスト端末１は、ＬＣＤ１４と、入出力制御部５９とを備える。
入出力制御部５９は、ＬＣＤ１４の方向に対して、波の進行方向と、岸または沖の方向とを設定する。
これにより、波の進行方向と、岸または沖の方向とを視覚的にわかり易い形態で設定することができる。
【００５６】
方向判定部５７は、入出力制御部５９によって設定された波の進行方向と、携帯端末の移動方向とに基づいて、リスト端末１を保持したユーザが、ライディング状態であるか、または、波待ちあるいはパドリングの状態であるかを判定する
これにより、波待ちまたはパドリングの状態と、ライディング状態とを区別することができ、より適切なライディング軌跡を記録することができる。
【００５７】
方向判定部５７は、入出力制御部５９によって設定された岸または沖の方向に基づいて、リスト端末１の移動方向が、沖へ向かったのか、岸へ向かったのか、あるいは、岸と平行であるかを判定する。
これにより、リスト端末１を保持したユーザの移動方向がライディングとして適合するか否かを直感的にわかり易い基準で判定することができる。
【００５８】
リスト端末１は、テイクオフ検出部５３を備える。
テイクオフ検出部５３は、リスト端末１の移動速度を検出する。
方向判定部５７は、テイクオフ検出部５３の検出結果に基づいて、リスト端末１を保持したユーザがスポーツにおける特定の移動状態であるか否かを判定する。
これにより、移動速度を判定基準として、ユーザがスポーツにおける特定の移動状態であるか否かを判定することができる。
【００５９】
なお、本発明は、上述の実施形態に限定されるものではなく、本発明の目的を達成できる範囲での変形、改良等は本発明に含まれるものである。
【００６０】
例えば、上述の実施形態において、制御部１１が、計測情報に基づいて、ユーザが波に浮いている状態であるか否かを判定することによって、サーフィンのテイクオフ状態であるか否かを判定することとしてもよい。また、制御部１１が、計測情報に基づいて、陸地を移動（歩行あるいは自動車での走行等）しているか否かを判定することによって、サーフィンが終了したか否かを判定することとしてもよい。
【００６１】
また、上述の実施形態において、テイクオフ検出部５３が、計測情報に基づいて、ユーザが波に浮いている状態からサーフボードに立ち上がったことを検出してテイクオフを判定することとしてもよい。この場合、立ち上がることによる上方向への加速度を検出したり、加速度及び角速度の波形が浮いている場合とは異なる状態となることを検出したりすることが可能である。
【００６２】
また、上述の実施形態において、ワイプアウト検出部５４が、計測情報に基づいて、立っている状態から海に降りたことを検出してワイプアウトを判定することとしてもよい。この場合、海に降りることによる下方向への加速度を検出したり、加速度及び角速度の波形がサーフボードに立っている場合とは異なる状態となることを検出したりすることが可能である。
【００６３】
また、上述の実施形態において、ワイプアウトの条件は、所定速度未満の状態が所定時間以上継続した場合とすることとしてもよい。
これにより、比較的遅い波でターンを行った場合等にワイプアウトと判定されることを抑制できる。
【００６４】
また、上述の実施形態において、リスト端末１が、計測情報に基づいて、ターンが行われたことを検出し、ターンの回数を記録することとしてもよい。さらに、リスト端末１は、種々の計測情報を記録することが可能であり、例えば、ライディングの本数、平均ライディング間隔、総ライディング距離等を記録してもよい。
また、上述の実施形態において、ＧＰＳによる測位位置が不正な値を示す場合（例えば、速度が６０［ｋｍ］以上になると判定される場合等）、その間の計測情報は記録の対象から除外することとしてもよい。
【００６５】
また、上述の実施形態において、マップ画面を表示する場合、地図の縮尺を移動軌跡の長さに合わせて設定することとしてもよい。さらに、マップ画面を表示する場合、移動軌跡がＬＣＤ１４の表示画面における所定領域（中央部分等）に表示されるように地図の範囲を設定することとしてもよい。
また、上述の実施形態において、マップ画面には、複数の移動軌跡を併せて表示することとしてもよい。
【００６６】
また、上述の実施形態では、位置情報を取得するためにＧＰＳを用いているが、特にこれに限定されない。例えば、Ｗｉ−Ｆｉアクセスポイントを使って高速で正確な位置情報を取得するＳｉＲＦｕｓｉｏｎ（登録商標）や、水中でも位置を測定できる量子コンパス等を利用してもよい。
【００６７】
また、上述の実施形態では、毎回ＧＰＳモジュール１９の測位結果及びセンサユニット１２に備えられた各種センサの検出結果（計測情報）を取得しているが、計測情報から特定の移動状態であると判定した場合に、ＧＰＳモジュール１９の測位を行ってもよい。ＧＰＳモジュールの消費電力が大きいので省電力につながる。
【００６８】
また、上述の実施形態では、本発明が適用される電子機器として、リスト端末を例として説明したが、特にこれに限定されない。
例えば、本発明は、運動を計測する機能を有する電子機器一般に適用することができる。具体的には、例えば、本発明は、ノート型のパーソナルコンピュータ、タブレット型端末、ビデオカメラ、携帯型ナビゲーション装置、携帯電話機、スマートフォン、ポータブルゲーム機等に適用可能である。
【００６９】
また、上述の実施形態では、リスト端末１内部の制御部１１が図２若しくは図５のフローチャートに示す動作を制御しているが、無線通信モジュール２１を介してスマートフォン等にデータを送り、演算処理はスマートフォンで行ってその結果をリスト端末１に返して、ＬＣＤ１４に表示させるようにすることも可能である。
また、上述の実施形態では、リスト端末１内部のＲＡＭ１７またはリムーバブルメディア３１に各種データを記録するようにしているが、無線通信モジュール２１を介してスマートフォン等にデータを送り、スマートフォン等に記録するようにしてもよい。
【００７０】
さらに、本発明をスポーツ以外の分野に応用することも可能である。例えば、ドローンや、投擲型のカメラ、センサを搭載したフリスビー、移動型ロボット等に応用し、位置情報を取得して移動軌跡や移動時間を記録するようにしてもよい。
【００７１】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｃ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｃ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｃ）等により構成される。また、装置本体に予め組み込まれた状態でユーザに提供される記録媒体は、例えば、プログラムが記録されている図１のＲＯＭ１６等で構成される。
【００７４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００７５】
以上、本発明のいくつかの実施形態について説明したが、これらの実施形態は、例示に過ぎず、本発明の技術的範囲を限定するものではない。本発明はその他の様々な実施形態をとることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００７６】
以下に、本願の出願当初の特許請求の範囲に記載された発明を付記する。
［付記１］
スポーツに使用する携帯端末であって、
前記携帯端末の位置情報を取得する位置情報取得手段と、
スポーツにおける特定の移動状態であるか否かを判定する判定手段と、
前記判定手段が前記特定の移動状態であると判定した場合に、前記特定の移動状態と対応する位置情報を、前記スポーツにおける特定の移動状態の軌跡として所定の記録手段に記録させる記録制御手段と、
を備えることを特徴とする携帯端末。
［付記２］
前記判定手段は、前記携帯端末の移動方向と、予め設定された基準とする移動方向との関係に基づいて、前記携帯端末を保持したユーザが前記スポーツにおける特定の移動状態であるか否かを判定することを特徴とする付記１に記載の携帯端末。
［付記３］
前記携帯端末は、水上スポーツに使用されることを特徴とする付記１または２に記載の携帯端末。
［付記４］
表示部と、
前記表示部の方向に対して、波の進行方向と、岸または沖の方向とを設定する設定手段をさらに備えることを特徴とする請求項１から３のいずれか１つに記載の携帯端末。
［付記５］
前記判定手段は、前記設定手段によって設定された前記波の進行方向と、前記携帯端末の移動方向とに基づいて、前記携帯端末を保持したユーザが、ライディング状態であるか、または、波待ちあるいはパドリングの状態であるかを判定することを特徴とする付記４に記載の携帯端末。
［付記６］
前記判定手段は、前記設定手段によって設定された前記岸または沖の方向に基づいて、前記携帯端末の移動方向が、沖へ向かったのか、岸へ向かったのか、あるいは、岸と平行であるかを判定することを特徴とする付記４または５に記載の携帯端末。
［付記７］
前記携帯端末の移動速度を検出する速度検出手段をさらに備え、
前記判定手段は、前記速度検出手段の検出結果に基づいて、前記スポーツにおける特定の移動状態であるか否かを判定することを特徴とする付記１から６のいずれか１つに記載の携帯端末。
［付記８］
スポーツに使用する携帯端末の位置情報を記録する移動解析方法であって、
前記携帯端末の位置情報を取得する位置情報取得ステップと、
前記携帯端末を保持したユーザがスポーツにおける特定の移動状態であるか否かを判定する判定ステップと、
前記判定ステップで前記特定の移動状態であると判定された場合に、前記特定の移動状態と対応する位置情報を、前記スポーツにおける特定の移動状態の軌跡として所定の記録手段に記録させる記録制御ステップと、
を含むことを特徴とする移動解析方法。
［付記９］
コンピュータに、
携帯端末の位置情報を取得する位置情報取得機能と、
スポーツにおける特定の移動状態であるか否かを判定する判定機能と、
前記判定機能が前記特定の移動状態であると判定した場合に、前記特定の移動状態と対応する位置情報を、前記スポーツにおける特定の移動状態の軌跡として所定の記録手段に記録させる記録制御機能と、
を実現させることを特徴とするプログラム。
【符号の説明】
【００７７】
１・・・リスト端末，１１・・・制御部，１２・・・センサユニット，１３・・・入力部，１４・・・ＬＣＤ，１５・・・時計回路，１６・・・ＲＯＭ，１７・・・ＲＡＭ，１８・・・ＧＰＳアンテナ，１９・・・ＧＰＳモジュール，２０・・・無線通信用アンテナ，２１・・・無線通信モジュール，２２・・・ドライブ，３１・・・リムーバブルメディア，５１・・・計測情報取得部，５２・・・スタンバイ検出部，５３・・・テイクオフ検出部，５４・・・ワイプアウト検出部，５５・・・計測点カウント部，５６・・・フィルタ処理部，５７・・・方向判定部，５８・・・記録制御部，５９・・・入出力制御部，７１・・・履歴データ記憶部
【図１】
2018158039.tif 000003
【図２】
2018158039.tif 000004
【図３】
2018158039.tif 000005
【図４】
2018158039.tif 000006
【図５】
2018158039.tif 000007
【図６】
2018158039.tif 000008
【図７】
2018158039.tif 000009